(57)【要約】【課題】ユーザが簡単且つ迅速に目的地を表示部に表示可能にするナビゲーションシステムを提供する。【解決手段】地点情報記憶部２０に現在地（出発地点）と目的地点情報等を関連付けて記憶し、この記憶データを使用してソート演算部３０によりソートして、表示制御部１６を介して優先度の高い順に表示部１７に表示する。【選択図】　　　　　図１
2004077296.tif 000002
【特許請求の範囲】
【請求項１】
現在地検出部で現在地情報を求め、ユーザの指示により表示部に目的地情報の選択肢を優先順位に応じて表示するナビゲーションシステムにおいて、
出発地点情報および目的地点情報を関連付けて保存する地点情報記憶部を備え、前記出発地点情報に応じて前記目的地点情報をリストにして表示することを特徴とするナビゲーションシステム。
【請求項２】
前記地点情報記憶部は、目的地点情報および現在地点情報を１つの情報として保存することを特徴とする請求項１に記載のナビゲーションシステム。
【請求項３】
前記地点情報記憶部は、地点情報および履歴情報を別のテーブルで保存し、それぞれ地点識別番号で関連付けることを特徴とする請求項１に記載のナビゲーションシステム。
【請求項４】
前記地点情報記憶部に保存された情報には、登録日時および有効期限を有することを特徴とする請求項１、２又は３に記載のナビゲーションシステム。
【請求項５】
現在地を検出する現在地検出部、地図情報を記憶する地図情報記憶部、選択された地図情報等を表示する表示部、該表示部の表示を制御する表示制御部およびユーザが指示する操作部を備えるナビゲーションシステムにおいて、
前記現在地検出部から得た位置情報およびユーザから指示された目的地点情報を関連付けて保存する地点情報記憶部と、前記現在地検出部から位置情報を得て前記地点情報記憶部に保存されたデータから所定情報を取り出しソートするソート演算部とを備えることを特徴とするナビゲーションシステム。
【請求項６】
前記ソート演算部は、出発時点情報毎に目的地点のジャンルを判断してソートすることを特徴とする請求項５に記載のナビゲーションシステム。
【請求項７】
前記ソート演算部は、出発地点情報と日付情報（曜日等）を関連付けてソートすることを特徴とする請求項５に記載のナビゲーションシステム。
【発明の詳細な説明】
【０００１】
【発明の属する技術分野】
本発明はナビゲーションシステムに関し、特に車載ナビゲーションシステム等における地点情報呼出し技術に関する。
【０００２】
【従来の技術】
ナビゲーションシステムは、現在位置情報計算により求めるＧＰＳ（Ｇｌｏｂａｌ　Ｐｏｓｉｔｉｏｎｉｎｇ　Ｓｙｓｔｅｍ）、地図情報、移動方向／速度検出装置および液晶表示パネル等の画像表示装置により構成される。そして、例えば車両の運転者（カードライバ）が予め行き先又は目標地を指定（又は入力する）ことにより、走行コースを決定し、画像および音声によりドライバに対して運転を支援する装置である。ドライバが不慣れな場所へ運転する際に、運転中に地図等を参照する必要がなくなり、また渋滞又は事故等による通行止めの際には迂回路情報の指示を与えることが可能であるので、きわめて便利であり、多くの車両等には標準装備又はオプションで装備可能である。
【０００３】
斯かる技術分野における従来技術としては、例えば特開平６−３３１３７９号公報の「車載用ナビゲーション装置」、特開平１０−１９７２７４号公報の「車載用ナビゲーション装置」および特開２００１−５０７６０号公報の「ナビゲーション装置」等に開示されている。
【０００４】
従来のナビゲーションシステムにおいては、ユーザ（利用者）は、地図上の任意地点をシステム上に記録することが可能である。そして、記録された地点は、いつでも呼び出し可能である。しかし、記録された地点情報を表示装置に表示するには、「記録時期順」、「使用頻度順」、「あいうえお順」又は「ジャンル順」の如き、決められた順序のいずれかを選択してソートする必要があった。
【０００５】
【発明が解決しようとする課題】
従来のソート方法では、記録された地点情報を呼び出す際に、ユーザの現在地により必要な地点情報は常時変化する。例えば、ソート方法が「使用頻度順」で、地点情報Ａが最も使用頻度が高いとする。ユーザが既に地点Ａにいて、その場所で地点情報を呼び出そうとすると、地点情報Ａが選択肢として１番上（最も優先度が高い位置）に来る。
【０００６】
具体例で説明する。ユーザＡ（又はＡさん）のナビゲーションシステムの使用回数が図７の通りであったと仮定する。即ち、ユーザＡのメモリに記録された地点情報のリストとして、「八王子市石川町付近」（使用回数５４回）、「ＪＲ八王子駅」（４８回）、「実家」（４５回）、「渋谷駅前」（３０回）、「彼女の実家」（２９回）、「取引先」（１５回）、・・・であったとする。この状態のナビゲーションシステムにおいて、現在地が「八王子市石川町付近」であったとすると、「使用頻度順」のソート方法を選択すると、図８に示す如く、図７に示す使用回数順に「八王子石川町付近」、「ＪＲ八王子駅」、「実家」、「渋谷駅前」、「彼女の実家」、・・・の順に表示されることとなる。しかし、現在地が「八王子市石川町付近」であれば、「八王子市石川町付近」や「ＪＲ八王子駅」が選択される可能性は極めて低く、第１および第２優先順位で表示することは無意味である。そのために、実際に選択したい地点情報の呼び出しに、図８の表示画面の右端のＵＰボタン又はＤＯＷＮボタンを押圧操作して、実際に呼び出して選択したい地点情報の呼出しに余分な時間を要する（即ち、操作性が悪い）という課題があった。
【０００７】
【発明の目的】
本発明は、従来技術の上述した課題に鑑みなされたものであり、ユーザの現在位置に応じて表示される地点情報を変更して、迅速に地点情報の呼び出し選択を可能にするナビゲーションシステムを提供することを目的とする。
【０００８】
【課題を解決するための手段】
前述の課題を解決するため、本発明によるナビゲーションシステムは次のような特徴的な構成を採用している。
【０００９】
（１）現在地検出部で現在地情報を求め、ユーザの指示により表示部に目的地情報の選択肢を優先順位に応じて表示するナビゲーションシステムにおいて、
出発地点情報および目的地点情報を関連付けて保存する地点情報記憶部を備え、前記出発地点情報に応じて前記目的地点情報をリストにして表示するナビゲーションシステム。
【００１０】
（２）前記地点情報記憶部は、目的地点情報および現在地点情報を１つの情報として保存する上記（１）のナビゲーションシステム。
【００１１】
（３）前記地点情報記憶部は、地点情報および履歴情報を別のテーブルで保存し、それぞれ地点識別番号で関連付ける上記（１）のナビゲーションシステム。
【００１２】
（４）前記地点情報記憶部に保存された情報には、登録日時および有効期限を有する上記（１）、（２）又は（３）のナビゲーションシステム。
【００１３】
（５）現在地を検出する現在地検出部、地図情報を記憶する地図情報記憶部、選択された地図情報等を表示する表示部、該表示部の表示を制御する表示制御部およびユーザが指示する操作部を備えるナビゲーションシステムにおいて、
前記現在地検出部から得た位置情報およびユーザから指示された目的地点情報を関連付けて保存する地点情報記憶部と、前記現在地検出部から位置情報を得て前記地点情報記憶部に保存されたデータから所定情報を取り出しソートするソート演算部とを備えるナビゲーションシステム。
【００１４】
（６）前記ソート演算部は、出発時点情報毎に目的地点のジャンルを判断してソートする上記（５）のナビゲーションシステム。
【００１５】
（７）前記ソート演算部は、出発地点情報と日付情報（曜日等）を関連付けてソートする上記（５）のナビゲーションシステム。
【００１６】
【発明の実施の形態】
以下、本発明によるナビゲーションシステムの好適実施形態の構成および動作を、添付図面を参照して詳細に説明する。
【００１７】
先ず、図１は、本発明によるナビゲーションシステムの好適実施形態の機能ブロック図である。このナビゲーションシステム１０は、ＧＰＳ受信機１１、ジャイロセンサ１２、車速センサ（速度センサ）１３、現在地検出部１４、地図情報記憶部１５、表示制御部１６、表示部１７、操作部（タッチパネル）１８、地点情報記憶部２０およびソート演算部３０により構成される。
【００１８】
ナビゲーションシステム１０において、ＧＰＳ受信部１１は、複数のＧＰＳ衛星（図示せず）からの信号を受信する。ジャイロセンサ１２は、車両の移動方向を検出する。車速センサ１３は、車両の移動速度を検出する。現在地検出部１４は、ＧＰＳ受信機１１が受信した位置情報、ジャイロセンサ１２の出力信号および車速センサ１３の出力に基づきユーザ（又は車両）の現在位置を検出する。
【００１９】
地図情報記憶部１５は、ＣＤ又はＤＶＤ等の記録媒体に地図情報を記録する。表示制御部１６は、地図情報記憶部１５に記録された地図情報のうち選択された地点又は地域の地図を、現在地検出部１４で検出された現在地と共に選択する。表示部１７は、例えばカラー液晶表示パネルであって、表示制御部１６を介して地図情報等を表示する。操作部１８は、ユーザが操作ボタン等を操作することにより表示部１７に表示したい地図情報等を選択する入力又は選択手段である。
【００２０】
次に、地点情報記憶部２０は、現在地検出部１４から得た位置情報およびユーザが操作部１８を操作して指示した目的地点を地点情報として保存する。この目的地点は、地点情報記憶部２０のメモリ容量の範囲内で複数個保存することが可能である。ソート演算部３０は、地点情報記憶部２０に記憶された地点情報に、後述するソート処理を行い、表示制御部１６を介して表示部１７に表示させる。
【００２１】
即ち、ユーザの操作により表示部１７に表示を行う場合には、地点情報記憶部２０からソート演算部３０および表示制御部１６を介して表示部１７に表示情報が送られる。ソート演算部３０では、現在地検出部１４から現在地の位置情報を得て、地点情報記憶部２０に保存されたデータから、現在地から出発している履歴情報を抜粋し、履歴情報を抜粋し、回数の多い順にソートする。このソート結果を、表示制御部１６を介して表示部１７へ送る。
【００２２】
本発明のナビゲーションシステム１０において、地点情報記憶部２０は、現在地検出部１４から得た位置情報およびユーザから操作部１８により指示された目的地点情報を関連付けて保存する。この関連付け保存形式について、図２および図３に示す２つの例について説明する。
【００２３】
先ず、図２に示す第１の例にあっては、履歴情報２１および地点情報２２を、それぞれ別のテーブルに保存する。即ち、履歴情報２１は、履歴管理番号２１ａ、登録日時２１ｂ、出発地点識別番号２１ｃ、目的地点識別番号２１ｄおよび有効期限２１ｅを含んでいる。一方、地点情報２２は、地点識別番号２２ａ、登録日時２２ｂ、登録名２２ｃ、地点情報２２ｄおよび呼び出し回数２２ｅを含んでいる。そして、これら履歴情報２１および地点情報２２は、地点識別番号（即ち、履歴情報２１中の出発地点識別番号２１ｃおよび目的地点識別情報２１ｄと、地点情報２２中の地点識別番号２２ａ）で関係を持たせたデータベースとしている。
【００２４】
他方、図３に示す第２の例では、目的地点情報および現在地点情報を１つの情報、即ち目的地点情報／現在地点情報２３として保存する。この目的地点情報／現在地点情報２３は、履歴管理番号２３ａ、登録日時２３ｂ、登録名２３ｃ、登録地点情報２３ｄ、出発地点情報２３ｅ、呼び出し回数２３ｆおよび有効期限２３ｇを含んでいる。
【００２５】
次に、図４は、本発明によるナビゲーションシステム１０により表示部１７に表示された表示結果の１例を示す。この表示部１７の表示画面には、１番上に「現在地（八王子市石川町付近）」が表示される。その下に、ソート演算部３０によりソートされた地点情報が選択肢として表示される。この特定例では、優先順位の高い順に、「渋谷駅前」、「実家」、「バンド練習スタジオ」、「八王子市石川町付近」および「ＪＲ八王子駅」が表示される。これは、図８を参照して上述した表示画面の例と比較すると明らかな如く、「渋谷駅前」が第１優先順位に表示され、選択される可能性が極めて低い従来の「八王子市石川町付近」および「ＪＲ八王子駅」の優先順位が下がっている。これにより、必要な地点情報を選択するための操作性の改善が期待できる。
【００２６】
次に、本発明によるナビゲーションシステム１０の動作を、具体例に基づいて説明する。図５は、ナビゲーションシステム１０のユーザの行動パターンの具体例である。図５には、日付および行動（出発地と目的地）を列記している。これらの地点情報を、図１に示す地点情報記憶部２０に記憶する。即ち、図２に示す履歴情報２１および地点情報２２に記憶するか、図３に示す目的地点情報／現在地点情報２３に記憶する。そして、ソート演算部３０により、回数の多い順にソートして表示部１７に表示する。
【００２７】
図６は、図５に示すユーザの行動パターンに基づく表示部１７の表示画面の表示説明図である。図６に示す如く、現在地が「八王子石川町付近」の場合には、回数が多い「渋谷駅前」が第１優先順位として表示され、「実家」および「バンド練習スタジオ」がこれに続く。一方、現在地が「渋谷駅前」の場合には、「取引先」が第１優先順位となる。また、現在地が「取引先」の場合には、「渋谷駅前」が第１優先順位として表示される。
【００２８】
以上の如く、本発明のナビゲーションシステム１０によると、現在地が何処であるかに応じて、表示される目的地が異なり得る。即ち、表示される目的地は、ソート演算部３０により適宜ソートされ、現在地からでかける回数の多い順に表示される点で、従来のナビゲーションシステムの表示と相違する。尚、図２および図３中の登録日時および有効期限は、ユーザの行動パターンは、永久不変ではなく、生活又は家庭環境等により変化し得ると共に、地点情報記憶部２０のメモリの記憶容量も有限であるので、有効期限を設けて適宜更新して常に新しい情報を保存するために設けられている。
【００２９】
尚、上述の実施形態においては、出発地点と目的地点とを関連付けていたが、目的地点以外にジャンル等を関連付けることも可能である。例えば、特定の出発地点からはコンビニ（コンビニエンスストア）又はガソリンスタンドに出かける回数が多いという判断に基づきソート演算部によりソートすることも可能である。更に、出発地点と日付情報とを関連付けることにより、特定の日付又は曜日の条件に応じてソート演算部によりソートして目的地点を表示することも可能である。
【００３０】
以上、本発明によるナビゲーションシステムの好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて適宜変形変更が可能であること、当業者には容易に理解できよう。
【００３１】
【発明の効果】
以上の説明から理解される如く、本発明のナビゲーションシステムによると、次の如き実用上の顕著な効果が得られる。即ち、表示部に選択肢として表示される地点情報は、現在地点毎に地点情報記憶部およびソート演算部により選択表示されるので、ユーザの無駄な操作が不要になり、操作性が大幅に改善される。特に、ナビゲーションシステムは、走行中等に操作される場合が多いので、簡単且つ迅速な選択が好ましい。
【図面の簡単な説明】
【図１】本発明によるナビゲーションシステムの好適実施形態の機能ブロック図である。
【図２】図１に示すナビゲーションシステムの地点情報記憶部のデータベースのフォーマットの１例である。
【図３】図２に示すナビゲーションシステムの地点情報記憶部のデータベースのフォーマットの他の例である。
【図４】本発明のナビゲーションシステムによる表示画面の１例である。
【図５】本発明によるナビゲーションシステムの具体的動作例を説明するためのユーザの行動パターンを示す図である。
【図６】図５に示す行動パターンに基づく本発明のナビゲーションシステムの表示説明図である。
【図７】特定ユーザによる目的地点別の使用回数を説明する図である。
【図８】従来のナビゲーションシステムの表示画面例である。
【符号の説明】
１０　ナビゲーションシステム
１１　ＧＰＳ受信部
１２　ジャイロセンサ
１３　速度センサ（車速センサ）
１４　現在地検出部
１５　地図情報記憶部
１６　表示制御部
１７　表示部
１８　操作部
２０　地点情報記憶部
２１　履歴情報
２２　地点情報
２３　目的地点情報／現在地点情報
３０　ソート演算部
【図１】
2004077296.tif 000003
【図２】
2004077296.tif 000004
【図３】
2004077296.tif 000005
【図４】
2004077296.tif 000006
【図５】
2004077296.tif 000007
【図６】
2004077296.tif 000008
【図７】
2004077296.tif 000009
【図８】
2004077296.tif 000010